(57)【要約】【課題】  様々な種類の焼結原料に対応でき、焼結鉱の品質及び生産性を従来よりも向上させることが可能な焼結原料の装入装置を提供する。【解決手段】  サージホッパー１１から切り出された焼結原料を焼結パレット上に装入するための上部シュート１５と下部シュート１６を有し、上部シュート１５と下部シュート１６との間にスリット状の開口部１７が設けられた焼結原料の装入装置１０において、上部シュート１５は、その傾斜角が調整可能であり、下部シュート１６の上端位置に応じて、その水平方向及び高さ方向に移動可能である。【選択図】        図１
2005351526.tif 000002
【特許請求の範囲】
【請求項１】
サージホッパーから切り出された焼結原料を焼結パレット上に装入するための上部シュートと下部シュートを有し、該上部シュートと該下部シュートとの間にスリット状の開口部が設けられた焼結原料の装入装置において、
前記上部シュートは、その傾斜角が調整可能であり、前記下部シュートの上端位置に応じて、その水平方向及び高さ方向に移動可能であることを特徴とする焼結原料の装入装置。
【請求項２】
請求項１記載の焼結原料の装入装置において、前記下部シュートはその下端部を支点として回動して傾斜角が調整可能であることを特徴とする焼結原料の装入装置。
【請求項３】
請求項２記載の焼結原料の装入装置において、前記下部シュートの傾斜角を、前記焼結パレット上に装入された焼結原料の通気状態に応じて調整することを特徴とする焼結原料の装入装置。
【請求項４】
請求項１〜３のいずれか１項に記載の焼結原料の装入装置において、前記上部シュートの傾斜角を前記下部シュートへの焼結原料の付着状態に応じて調整することを特徴とする焼結原料の装入装置。
【請求項５】
請求項１〜４のいずれか１項に記載の焼結原料の装入装置において、前記下部シュートの傾斜角度は水平方向に対して４５〜５２度の範囲内とし、前記上部シュートの傾斜角度は水平方向に対して４８〜５５度の範囲内で調整することを特徴とする焼結原料の装入装置。
【発明の詳細な説明】
【技術分野】
【０００１】
本発明は、焼結パレット上へ焼結原料を装入するための焼結原料の装入装置に関する。
【背景技術】
【０００２】
従来、図４に示すように、焼結機においては、焼結原料の装入装置（以下、単に装入装置ともいう）を使用して、サージホッパー８０から切り出された焼結原料８１は、無端鎖状の焼結パレット８２に装入されて焼結原料層８３を形成する。そして、この焼結原料層８３は、その表面を点火炉（図示しない）で着火されると共に、メインブロワー（図示しない）によりウインドボックスを介して焼結原料層８３の上方部の空気を吸引することにより、焼結パレット８２の移動に伴って焼結原料８１中に配合されたコークスを燃焼させ、順次焼結原料８１の焼結を行った後、この製造された焼結鉱を排鉱部で焼結パレット８２から排出している。
焼結パレット８２上に装入された焼結原料層８３の上層部８４は、保熱効果が少なく、急冷等により脆弱な焼結鉱となる。このため、焼結原料層８３の上層部８４が、下層部８５と比較して燃料分（カーボン）が多く、且つ粒度が小さくなるように、焼結原料を偏析装入することが、焼結鉱の品質及び生産性を向上させるのに効果的である。
【０００３】
そこで、例えば、特許文献１には、サージホッパー８０から切り出される焼結原料８１を焼結パレット８２上に装入するための上部シュート（上流側の装入シュート）８６と下部シュート（下流側の装入シュート）８７を有し、この上部シュート８６と下部シュート８７との間に焼結原料８１中の微粉を落下させるための開口部８８が設けられた装入装置８９が開示されている。この装入装置８９は、上部シュート８６の上面の延長線を下部シュート８７の上面より高くなるように、段差Ｙを設けたものである。
これにより、焼結原料８１中の中粒及び粗粒の焼結原料を、開口部８８から落下させることなく下部シュート８７へ飛び移らせ、下部シュート８７を介して焼結パレット８２内に装入できる。一方、焼結原料８１中の微粒及び細粒の焼結原料は、開口部８８の上方に配置された気体吹き付けノズル９０から噴出される気体の進行方向に沿って吹き飛ばされるため、開口部８８を通過して落下し、焼結パレット８２上の中粒及び粗粒の焼結原料の表層上へ装入される。従って、前記した焼結パレット８２への焼結原料の偏析装入を実施できる。
【０００４】
しかし、焼結原料は、例えば、使用する原料の種類等に応じて、その粒度分布や含まれる水分量等に違いが生じる。このため、特に焼結原料の粒径が細かく、焼結原料中に含まれる水分量が高くなるに伴い、下部シュート８７の上面に焼結原料が付着し易くなり、この付着した焼結原料が上部シュート８６から落下してくる他の焼結原料の落下を妨げて、焼結原料を焼結パレット８２の幅方向に渡って略均等に装入することが困難になる恐れがあった。
このため、焼結パレット８２上に装入された焼結原料に焼きむらが生じ、製造される焼結鉱の品質がばらつき、焼結鉱の品質及び生産性が低下する問題があった。
そこで、上部シュート８６を、その傾斜角が調整可能な構成とし、その傾斜角を調整し下部シュート８７における焼結原料の滑走速度を速くして、下部シュート８７上への焼結原料の付着を防止している。
【０００５】
【特許文献１】特開平１１−２６４６７０号公報
【発明の開示】
【発明が解決しようとする課題】
【０００６】
しかしながら、上部シュート８６の傾斜角を調整する場合、開口部８８の水平方向間隙及び段差Ｙの高さが変化するため、下部シュート８７へ飛び移る焼結原料８１中の中粒及び粗粒の焼結原料量、及び開口部８８を通過して落下する焼結原料８１中の微粒及び細粒の焼結原料量が、上部シュート８３の傾斜角調整前よりも低減する。
このため、前記した焼結パレット８２への焼結原料の偏析装入を実施できなくなる恐れがあり、焼結鉱の品質及び生産性を従来よりも低下させる問題があった。
【０００７】
本発明はかかる事情に鑑みてなされたもので、様々な種類の焼結原料に対応でき、焼結鉱の品質及び生産性を従来よりも向上させることが可能な焼結原料の装入装置を提供することを目的とする。
【課題を解決するための手段】
【０００８】
前記目的に沿う請求項１記載の焼結原料の装入装置は、サージホッパーから切り出された焼結原料を焼結パレット上に装入するための上部シュートと下部シュートを有し、該上部シュートと該下部シュートとの間にスリット状の開口部が設けられた焼結原料の装入装置において、
前記上部シュートは、その傾斜角が調整可能であり、前記下部シュートの上端位置に応じて、その水平方向及び高さ方向に移動可能である。
【０００９】
請求項１記載の焼結原料の装入装置において、サージホッパーとは、疑似造粒した焼結原料を貯留するためのホッパーである。
また、上部シュートの傾斜角度の調整は、焼結原料の水分量に応じて、例えば、サージホッパーからドラムフィーダを介して切り出された焼結原料の下部シュート上での滑走速度を調整するために行うものであり、これにより焼結原料の付着量を低減させることができる。
そして、スリット状の開口部は、焼結原料中の中粒及び粗粒の焼結原料と比較して慣性力が小さい微粒及び細粒の焼結原料を、焼結原料中から分離し下方へ落下させる役割を有するものである。
【００１０】
更に、下部シュートは、例えば、焼結原料の種類（原料銘柄）の変更等によって焼結原料の粒度構成が大きく変化した場合、焼結パレット上での焼結原料の偏析状態が変わるので、これを防止するため、下部シュートの傾斜角を調整する構造とすることが好ましい。しかし、焼結原料の種類を変えても粒度構成がほとんど変わることがない原料事情の場合には、下部シュートの傾斜角を固定した構造としてもよい。
従って、上部シュート及び下部シュートのそれぞれの傾斜角の調整が終了した後、又は傾斜角が固定された下部シュートに対して上部シュートの傾斜角の調整が終了した後、上部シュートを下部シュートの上端位置に応じて、その水平方向及び高さ方向に移動させることで、スリット状の開口部の大きさを目的とする大きさに調整できる。これにより、下部シュートを介して落下した中粒及び粗粒の焼結原料を焼結パレット上に装入した後、この焼結原料の上層部上に、開口部から落下した微粒及び細粒の焼結原料を装入して、焼結原料の粒度分布を厚さ方向に偏析させることが可能になる。
【００１１】
請求項２記載の焼結原料の装入装置は、請求項１記載の焼結原料の装入装置において、前記下部シュートはその下端部を支点として回動して傾斜角が調整可能である。
請求項２記載の焼結原料の装入装置において、下部シュートの傾斜角を調整可能にすることで、焼結原料の種類の変更等によって焼結原料の粒度構成が大きく変化し、焼結パレット上での焼結原料の偏析状態が変わった場合にも対応できる。
【００１２】
請求項３記載の焼結原料の装入装置は、請求項２記載の焼結原料の装入装置において、前記下部シュートの傾斜角を、前記焼結パレット上に装入された焼結原料の通気状態に応じて調整する。
請求項３記載の焼結原料の装入装置において、焼結パレット上に装入された焼結原料の通気状態は、例えば、メインブロワーの上流側に設けられた圧力計、風量計、及び温度計から得られる各測定値、即ち焼結排ガスの圧力、風量、及び温度のいずれか１又は２以上から判断できる。ここで、例えば、焼結原料の種類の変更等によって焼結原料の粒度構成が大きく変化した場合には、焼結パレット上での焼結原料の偏析状態に起因して通気状態が変化するので、この通気状態を望ましい状態に調整するために、下部シュートの傾斜角を調整する必要があり、その傾斜角を望ましい範囲内で調整することが好ましい。
【００１３】
請求項４記載の焼結原料の装入装置は、請求項１〜３記載の焼結原料の装入装置において、前記上部シュートの傾斜角を前記下部シュートへの焼結原料の付着状態に応じて調整する。
請求項４記載の焼結原料の装入装置において、下部シュートへの焼結原料の付着状態は、下部シュートの上面に付着した焼結原料の量で判断できる。ここで、下部シュートの上面に焼結原料が多く付着すれば、下部シュートを介して焼結パレット上に装入される焼結原料の粒度分布を焼結パレット幅方向に渡って偏析させることができず、また焼結原料を焼結パレットの幅方向に渡って略均一に行うことができない。従って、上部シュートは、下部シュートへの焼結原料の付着を抑制するため、焼結原料の下部シュート上での滑走速度を速くする必要があり、その傾斜角を望ましい範囲内で大きくすることが好ましい。
【００１４】
請求項５記載の焼結原料の装入装置は、請求項１〜４記載の焼結原料の装入装置において、前記下部シュートの傾斜角度は水平方向に対して４５〜５２度の範囲内とし、前記上部シュートの傾斜角度は水平方向に対して４８〜５５度の範囲内で調整する。
請求項４記載の焼結原料の装入装置において、下部シュートの傾斜角度が水平方向に対して４５度未満の場合、下部シュートの傾斜角度が小さくなり過ぎ、下部シュートの上面へ焼結原料が付着し易く、この付着した焼結原料が他の焼結原料の落下を妨げる。一方、下部シュートの傾斜角度が水平方向に対して５２度を超える場合、下部シュートの傾斜角度が大きくなり過ぎ、焼結原料の滑走速度が必要以上に速くなる。
このため、装入パレット上に装入される焼結原料の粒度分布を焼結パレット幅方向に渡って偏析させると共に、焼結パレットの幅方向への焼結原料の略均一な装入を実施できない恐れがある。
従って、焼結原料を良好な状態で焼結パレット上に装入するため、下部シュートの傾斜角度を水平方向に対して４５〜５２度の範囲内とする。
【００１５】
また、上部シュートの傾斜角度が、水平方向に対して４８度未満の場合、上部シュートの傾斜角度が小さくなり過ぎ、上部シュートの上面に焼結原料が付着し易く、この付着した焼結原料が他の焼結原料の落下を妨げる。一方、上部シュートの傾斜角度が、水平方向に対して５５度を超える場合、上部シュートの傾斜角度が大きくなり過ぎ、焼結原料の滑走速度が必要以上に速くなる。
このため、装入パレット上に装入される焼結原料の粒度分布を厚さ方向に偏析させると共に、焼結パレットの幅方向への焼結原料の略均一な装入を実施できない恐れがある。
従って、焼結原料を良好な状態で焼結パレット上に装入するため、上部シュートの傾斜角度を水平方向に対して４８〜５５度の範囲内で調整する。
【発明の効果】
【００１６】
請求項１〜５記載の焼結原料の装入装置は、傾斜角を調整可能な上部シュートを有しているので、例えば、焼結原料の粒度構成、水分等に応じて各シュートの傾斜角を調整することができる。また、上部シュートは、下部シュートの上端位置に応じて、その水平方向及び高さ方向に移動可能であるため、例えば、上部シュート及び下部シュートのそれぞれの傾斜角の調整が終了した後、又は傾斜角が固定された下部シュートに対して上部シュートの傾斜角の調整が終了した後、スリット状の開口部の大きさを目的とする大きさに調整できる。
【００１７】
これにより、焼結原料の下部シュートの上面への付着を抑制、更には防止し、下部シュートへ飛び移る焼結原料中の中粒及び粗粒の焼結原料量、及び開口部を通過して落下する焼結原料中の微粒及び細粒の焼結原料量を現状よりも低減させることなく、焼結パレット上に装入される焼結原料の粒度分布を厚さ方向に偏析させることができると共に、焼結原料を焼結パレットの幅方向に略均一に装入できる。従って、様々な種類の焼結原料に対応でき、例えば、焼きむら等を従来よりも低減でき、品質及び生産性を従来よりも向上させた焼結鉱を製造できる。
【００１８】
特に、請求項２記載の焼結原料の装入装置は、傾斜角を調整可能な下部シュートを有しているので、焼結パレット上での焼結原料の偏析状態が変わった場合にも対応でき、品質及び生産性を更に向上させた焼結鉱を製造できる。
【００１９】
請求項３記載の焼結原料の装入装置は、下部シュートの傾斜角度を、焼結パレット上に装入された焼結原料の通気状態に応じて調整するので、焼結原料の粒度分布を厚さ方向に偏析させると共に、焼結パレットの幅方向への焼結原料の略均一な装入を実施できる。
【００２０】
請求項４記載の焼結原料の装入装置は、上部シュートの傾斜角を下部シュートへの焼結原料の付着状態に応じて調整するので、下部シュートの上面への焼結原料の付着量を従来よりも抑制、更には防止でき、付着する焼結原料によって邪魔されることなく、焼結原料の粒度分布を焼結パレット幅方向に渡って偏析させると共に、焼結原料を焼結パレットの幅方向に略均一に装入できる。
【００２１】
請求項５記載の焼結原料の装入装置は、上部シュート及び下部シュートの各傾斜角の範囲を予め設定しておくことで、サージホッパーから切り出される焼結原料の種類に応じて、上部シュートの傾斜角度を的確に調整でき、下部シュートの傾斜角度を的確に設定することが可能になる。
【発明を実施するための最良の形態】
【００２２】
続いて、添付した図面を参照しつつ、本発明を具体化した実施の形態につき説明し、本発明の理解に供する。
ここで、図１は本発明の一実施の形態に係る焼結原料の装入装置の説明図、図２は同焼結原料の装入装置の上部シュートの傾斜角度と焼結原料の水平方向の装入速度との関係を示す説明図、図３は同焼結原料の装入装置の上部シュートの傾斜角度と焼結原料の装入速度との関係を示す説明図である。
【００２３】
本発明の一実施の形態に係る焼結原料の装入装置（以下、単に装入装置ともいう）１０は、貯留した焼結原料を供給するサージホッパー１１からドラムフィーダ１２を介して切り出された焼結原料１４を、焼結パレット（図示しない）上に装入するための装置であり、上部シュート１５と下部シュート１６を有し、上部シュート１５と下部シュート１６との間にスリット状の開口部（以下、単に開口部ともいう）１７が設けられている。なお、１３は切り出しゲートである。以下、詳しく説明する。
【００２４】
下部シュート１６は、焼結パレットの幅と略同程度の幅を備えた板状のものであり、その下面の下部が装入装置１０の固定部１８の先端部（図１においては左側）に設けた連接部１９に、回動可能に軸持されている。更に、下部シュート１６の下面の上部が固定部１８上に立設した油圧ジャッキ２０の頭部に設けられている。
【００２５】
そして、油圧ジャッキ２０の駆動部２１を駆動して、ピストンロッド２２を伸縮動させることで、下部シュート１６をその下部を支点として回動させ、下部シュート１６の傾斜角αを調整することができる。
なお、下部シュート１６の傾斜角度αの調整範囲は、水平方向に対して４５〜５２度の範囲内にすることが好ましい。このとき、前記したように、下部シュート１６の下部を支点として回動しているので、下部シュート１６が回動しても、下部シュート１６の下端の高さ位置がほとんど変化しないことから、焼結パレットへの焼結原料１４の装入が、常に同じ高さから実施できる。
【００２６】
装入装置１０の上部シュート１５は、焼結パレットの幅と略同程度の幅を備えた板状のもので、この上部シュート１５に車輪２３が設けられている。そして、この車輪２３が傾斜台２４に設けた一対の走行レール（図示しない）と係合している。更に、上部シュート１５の上端（図１においては上側）は、連結部材２５を介してネジジャッキ２６と連接されている。なお、ネジジャッキ２６の駆動部２７は、傾斜台２４上面に固定されている。
そして、ネジジャッキ２６の駆動部２７を駆動することによりロッド２８を伸縮して、上部シュート１５を高さ方向（矢印Ａ方向）に移動する。
これにより、下部シュート１６の上端と上部シュート１５の下端との間のスリット状の開口部１７の広さ、即ち水平方向の間隙（以下、水平方向間隙ともいう）Ｄ１が調整可能となる。
【００２７】
また、傾斜台２４は、焼結パレットの搬送方向で水平方向に配置された走行台（図示しない）上を水平方向（矢印Ｂ方向）へ往復走行可能な走行台車２９上に、上下方向に回動可能に設置されている。
この傾斜台２４の走行台車２９への設置方法は、下部シュート１６と同様であるが、傾斜台２４の下面の下部が走行台車２９の先部（図１においては右側）の連接部３０に回動可能に軸持され、更に、この傾斜台２４の下面の上部が走行台車２９上に立設した油圧ジャッキ３１に連接されている。
これにより、油圧ジャッキ３１の駆動部３２を駆動して、ピストンロッド３３を高さ方向（矢印Ｃ方向）に伸縮動させることで、傾斜台２４をその下部を支点として回動させ、上部シュート１５の傾斜角度βを調整する。この傾斜角度βの調整範囲は、水平方向に対して４８〜５５度の範囲内にすることが好ましい。
そして、走行台車２９を矢印Ｂ方向に往復走行させることにより、上部シュート１５の水平方向位置が変更可能となるので、下部シュート１６の上端と上部シュート１５の下端の高さ位置の段差Ｄ２を調整できる。
【００２８】
このように、装入装置１０は、各油圧ジャッキ２０、３１により、下部シュート１６、上部シュート１５の傾斜角度α、βを調整し、ネジジャッキ２６により、上部シュート１５と下部シュート１６の間のスリット状の開口部１７の水平方向間隙Ｄ１を調整し、走行台車２９により、上部シュート１５の下端と下部シュート１６の上端の高さ位置の段差Ｄ２を調整することが可能な構成となっている。
【００２９】
また、スリット状の開口部１７の水平方向の間隙Ｄ１が１５０〜３００ｍｍの範囲内、下部シュート１６の上面の延長線上から上部シュート１５の下端位置の上面までの段差Ｄ２が３０〜５０ｍｍの範囲内であることが好ましい。
【００３０】
ここで、上部シュート１５の傾斜角度β（以下、単にθとも記載する）を上記した角度の範囲内で調整した理由について説明する。
焼結パレットに装入される焼結原料の粒度分布を厚さ方向に偏析させるには、焼結原料の水平方向の装入速度（Ｖ・ｃｏｓθ）を大きくすることが好ましい。なお、焼結パレットに装入される焼結原料の装入密度は、小さい方が焼結鉱の品質及び生産性の向上に有利であるため、焼結原料の垂直方向の装入速度（Ｖ・ｓｉｎθ）を小さくすることが好ましい。
【００３１】
図２に示すように、下部シュート（補助シュート）１６の傾斜角度αを、前記した４５〜５２度の範囲内で、最も安定した装入を実施可能な傾斜角度である４９度に設定した場合、焼結鉱の品質に問題が生じない従来の操業点（５．８５ｍ／秒程度）以上の装入速度を満足するには、上部シュート（助走シュート）１５の傾斜角度βを４８〜５５度の範囲内に調整する必要がある。
このとき、図３に示すように、焼結原料の装入速度と上部シュート１５との関係は、従来が、焼結鉱の品質に問題が生じない従来の操業点を含む範囲が８．９〜９．４（ｍ／秒）程度の範囲になっているのに対して、装入装置１０では、上記した範囲を含む８．９〜９．５（ｍ／秒）の範囲となっており、問題ない結果が得られた。
【００３２】
なお、上部シュート１５及び下部シュート１６の位置は、駆動部２１、駆動部３２、及び走行台車２９の駆動部からの情報で判断することが可能であり、各データが制御部（例えば、コンピュータ等）に入力されている。従って、前記したネジジャッキ２６、各油圧ジャッキ２０、３１、及び走行台車２９等を、制御部を介して動作させることで、上部シュート１５と下部シュート１６の位置調整、及び開口部１７の大きさ調整を実施できる。また、下部シュート１６への焼結原料の付着状況は、例えばカメラ（例えば、ＣＣＤカメラ等）によって撮像されている。そして、開口部１７の上方に設置された風力分級ヘッダー管３４から噴出される風量も、制御部により調整できる。
【００３３】
続いて、本発明の一実施の形態に係る焼結原料の装入装置１０を使用した焼結原料の装入方法について説明する。
サージホッパー１１から切り出された焼結原料１４を、回転するドラムフィーダ１２を介して焼結パレット上に装入するとき、焼結原料１４中の中粒及び粗粒の焼結原料（例えば、０．５ｍｍ超）は、開口部１７から落下させることなく、上部シュート１５から下部シュート１６へ飛び移らせ、下部シュート１６を介して焼結パレット内に装入する。一方、焼結原料１４中の微粒及び細粒の焼結原料（例えば、１．０ｍｍ以下）は、風力分級ヘッダー管３４から噴出される気体（例えば、風量が５０〜３００ｍ3 ／分）の進行方向に沿って下方へ吹き飛ばされるため、開口部１７を通過して落下し、焼結パレット上に装入された中粒及び粗粒の焼結原料の表層上へ装入される。
【００３４】
ここで、焼結原料の水分量が増加して、下部シュート１６の上面へ焼結原料が付着した場合について説明する。
まず、制御部により、走行台車２９上に設けられた油圧ジャッキ３１のピストンロッド３３を上昇させ、上部シュート１５の傾斜角度βを、水平方向に対して４８〜５５度の範囲内で、現状よりも大きい角度に調整する。
これにより、装入パレットに装入される焼結原料の下部シュート上での滑走速度を現状よりも上昇させ、下部シュート１６の上面への焼結原料の付着を抑制、更には防止することができる。
【００３５】
そして、この上部シュート１５の傾斜角度βを大きくすることにより、この上部シュート１５の下端の高さ位置が低くなって、上部シュート１５の下端と下部シュート１６の上端位置の水平方向間隙Ｄ１及び段差Ｄ２が小さくなるために、制御部により、上部シュート１５を走行台車２９で前側（間隙Ｄ１を広げる方向）へ水平移動させ、ネジジャッキ２６で上方へ引き上げることで、上部シュート１５と下部シュート１６との水平方向間隙Ｄ１及び段差Ｄ２を、もとの間隔に戻す。
このように、焼結原料の水分量が増加しても、この焼結原料が下部シュート１６の上面に付着することなく、下部シュート１６を介して落下した中粒及び粗粒の焼結原料を焼結パレット上に装入した後、この焼結原料の上層部上に、開口部１７から落下した微粒及び細粒の焼結原料を装入して、焼結原料の粒度分布を厚さ方向に偏析させることが可能になる。
従って、焼結パレット上に装入される焼結原料の粒度分布を厚さ方向に偏析させることができると共に、焼結原料を焼結パレットの幅方向に略均一に装入できる。
【００３６】
次に、焼結パレット上に装入された焼結原料の通気状態が大きく変化した場合について説明する。
通気状態の変化は、焼結原料の種類の変更等によって焼結原料の粒度構成が大きく変化（好ましくない状態に変化）した場合に発生し易く、その判断は、例えば、メインブロワーの上流側に設けられた圧力計、風量計、及び温度計から得られた焼結排ガスの圧力、風量、及び温度の各数値に基づいて行われる。
【００３７】
ここで、通気状態が大きく変化したと判断された場合、制御部により、固定部１８に設けられた油圧ジャッキ２０のピストンロッド２２を上昇又は下降させ、下部シュート１６の傾斜角度αを、水平方向に対して４５〜５２度の範囲内で、現状と異なる角度（ピストンロッド２２を上昇させたときは大きい角度、ピストンロッド２２を下降させたときは小さい角度）に調整する。
また、更に、制御部により、上部シュート１５の傾斜角度βを、水平方向に対して４８〜５５度の範囲内で、現状と異なる角度に調整することも可能である。
【００３８】
そして、角度調整が行われた下部シュート１６の上端位置に応じて、制御部により、上部シュート１５を走行台車２９で水平移動させ、更にネジジャッキ２６で移動させることで、上部シュート１５と下部シュート１６との水平方向間隙Ｄ１及び段差Ｄ２を、もとの間隔に戻す。
これにより、焼結パレット上に装入した焼結原料の粒度分布を厚さ方向に偏析させることが可能になる。
【００３９】
以上のことから、焼結原料の装入装置１０を使用して、様々な種類の焼結原料に応じて、例えば、焼きむら等を従来よりも低減でき、品質及び生産性を従来よりも向上させた焼結鉱を製造できる。
なお、上部シュート１５と下部シュート１６の各傾斜角の調整、及び上部シュート１５の水平方向及び高さ方向の位置調整は、前記した方法に限定されるものではなく、下部シュート１６への焼結原料の付着状態、焼結パレットに装入された焼結原料の通気状態等に応じて、種々組み合わせて実施できる。
【００４０】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の焼結原料の装入装置を構成する場合も本発明の権利範囲に含まれる。
前記実施の形態においては、下部シュートを回動可能に設けた場合について説明したが、本発明はこれに限定されるものではなく、粒度分布のほとんど変わらない焼結原料の銘柄で操業を行うことができる場合には、下部シュートを固定構造としてもよい。
また、前記実施の形態においては、上部シュートを走行可能に載置した傾斜台の傾斜角度を変えることで、上部シュートの傾斜角度βを変える場合について説明したが、上部シュートの上端部位置に傾動軸を設け、上端を支点として上部シュートを回動させて、上部シュートを直接的に傾斜させることも可能である。
【図面の簡単な説明】
【００４１】
【図１】本発明の一実施の形態に係る焼結原料の装入装置の説明図である。
【図２】同焼結原料の装入装置の上部シュートの傾斜角度と焼結原料の水平方向の装入速度との関係を示す説明図である。
【図３】同焼結原料の装入装置の上部シュートの傾斜角度と焼結原料の装入速度との関係を示す説明図である。
【図４】従来例に係る焼結原料の装入装置の説明図である。
【符号の説明】
【００４２】
１０：焼結原料の装入装置、１１：サージホッパー、１２：ドラムフィーダ、１３：切り出しゲート、１４：焼結原料、１５：上部シュート、１６：下部シュート、１７：スリット状の開口部、１８：固定部、１９：連接部、２０：油圧ジャッキ、２１：駆動部、２２：ピストンロッド、２３：車輪、２４：傾斜台、２５：連結部材、２６：ネジジャッキ、２７：駆動部、２８：ロッド、２９：走行台車、３０：連接部、３１：油圧ジャッキ、３２：駆動部、３３：ピストンロッド、３４：風力分級ヘッダー管
【図１】
2005351526.tif 000003
【図２】
2005351526.tif 000004
【図３】
2005351526.tif 000005
【図４】
2005351526.tif 000006